(57)【要約】【課題】作業者に負担をかけることなく導電路を曲げ変形させる。【解決手段】ワイヤーハーネスＷａは、金属製の導体１４を絶縁被覆１５で包囲した形態の被覆電線１３を束ねて構成されている。被覆電線１３の外周には、被覆電線１３を所定の形状に保持する光硬化性樹脂の保持体１８が設けられている。ワイヤーハーネスＷａを構成する導電路１０は、被覆電線１３の外周に設けた光硬化性樹脂の保持体１８により所定の形状に保持されているので、作業者は導体１４の剛性に抗して手作業で導電路１０（ワイヤーハーネスＷａ）を曲げ変形させずに済む。【選択図】図１
2015082865.tif 000002
【特許請求の範囲】
【請求項１】
金属製の導体を絶縁被覆で包囲した形態の被覆電線と、
前記被覆電線の外周に設けられ、前記被覆電線を所定の形状に保持する光硬化性樹脂の保持体とを備えていることを特徴とする導電路。
【請求項２】
前記保持体が、前記被覆電線を全周に亘って包囲する形態であることを特徴とする請求項１記載の導電路。
【請求項３】
前記保持体が、紫外線硬化性樹脂からなっていることを特徴とする請求項１又は請求項２記載の導電路。
【請求項４】
金属製の導体を絶縁被覆で包囲した形態の被覆電線を束ねて構成され、
前記被覆電線の外周に設けられ、前記被覆電線を所定の形状に保持する光硬化性樹脂の保持体を備えていることを特徴とするワイヤーハーネス。
【請求項５】
前記保持体が、前記被覆電線を全周に亘って包囲する形態であることを特徴とする請求項４記載のワイヤーハーネス。
【請求項６】
前記保持体が、紫外線硬化性樹脂からなっていることを特徴とする請求項４又は請求項５に記載のワイヤーハーネス。
【請求項７】
複数本の前記導電路を１つの前記保持体が包囲した形態であることを特徴とする請求項４ないし請求項６のいずれか１項に記載のワイヤーハーネス。
【発明の詳細な説明】
【技術分野】
【０００１】
本発明は、導電路及びワイヤーハーネスに関するものである。
【背景技術】
【０００２】
特許文献１には、複数本の導電路を束ねて構成され、各導電路の端末部をハウジング内に収容した形態のワイヤーハーネスが開示されている。ハウジングの背面から導出された導電路は、一斉に曲げ変形され、曲げられた部分は電線カバーで包囲されることで、曲げ状態に保持される。また、特許文献２には、図板上に配索したワイヤーハーネスを、所定位置で分岐させる手段として、図板上の所定位置に設けた治具に導電路を引っ掛け、引っ掛けた導電路を曲げ変形させる技術が開示されている。
【先行技術文献】
【特許文献】
【０００３】
【特許文献１】特開２００７−１０３２００号公報
【特許文献２】特開２００５−２７６５４９号公報
【発明の概要】
【発明が解決しようとする課題】
【０００４】
導電路を構成する電線の導体は、金属製である。そのため、特許文献１のものにおいて、作業者が複数本の導電路を掴んで一斉に曲げ変形させようとする際には、作業者の負担が大きい。また、特許文献２のものにおいて、治具に引っ掛けた複数本の導電路を曲げ変形させる際にも、作業者の負担が大きい。
本発明は上記のような事情に基づいて完成されたものであって、作業者に負担をかけることなく導電路を曲げ変形させることを目的とする。
【課題を解決するための手段】
【０００５】
第１の発明の導電路は、
金属製の導体を絶縁被覆で包囲した形態の被覆電線と、
前記被覆電線の外周に設けられ、前記被覆電線を所定の形状に保持する光硬化性樹脂の保持体とを備えているところに特徴を有する。
【０００６】
第２の発明のワイヤーハーネスは、
金属製の導体を絶縁被覆で包囲した形態の被覆電線を束ねて構成され、
前記被覆電線の外周に設けられ、前記被覆電線を所定の形状に保持する光硬化性樹脂の保持体を備えているところに特徴を有する。
【発明の効果】
【０００７】
導電路は、被覆電線の外周に設けた光硬化性樹脂の保持体により所定の形状に保持されているので、作業者は導体の剛性に抗して手作業で導電路を曲げ変形させずに済む。
【図面の簡単な説明】
【０００８】
【図１】実施例１の断面図
【図２】図１のＡ−Ａ線拡大断面図
【図３】実施例２の断面図
【図４】図３のＢ−Ｂ線拡大断面図
【図５】実施例３の平面図
【図６】図５の部分拡大平面図
【図７】図６のＣ−Ｃ線断面図
【図８】実施例４の平面図
【図９】図８のＤ−Ｄ線拡大断面図
【発明を実施するための形態】
【０００９】
（１）第１の発明の導電路及び第２の発明のワイヤーハーネスは、前記保持体が、前記被覆電線を全周に亘って包囲する形態であってもよい。この構成によれば、導電路を曲げた状態に確実に保持することができる。
【００１０】
（２）第１の発明の導電路及び第２の発明のワイヤーハーネスは、前記保持体が、紫外線硬化性樹脂からなっていてもよい。この構成によれば、可視光線に比べて光エネルギーの密度が高い紫外線により、光硬化性樹脂を短時間で効果的に硬化させることができる。
【００１１】
（３）第２の発明のワイヤーハーネスは、複数本の前記導電路を１つの前記保持体が包囲した形態であってもよい。この構成によれば、複数本の導電路同士を所定の位置関係に保つことができる。
【００１２】
＜実施例１＞
以下、本発明を具体化した実施例１を図１〜図２を参照して説明する。ワイヤーハーネスＷａは、複数本の導電路１０を束ねて構成されている。１本の導電路１０は、端子金具１１と、端子金具１１の後端部に接続された被覆電線１３と、被覆電線１３の外周に個別に設けた保持体１８とを備えて構成されている。端子金具１１は、銅製の板材に曲げ加工等を施すことにより、全体として前後方向に細長く延びた形状に成形されている。端子金具１１の後端側にはオープンバレル状の圧着部１２が形成されている。
【００１３】
被覆電線１３は、導体１４の外周を絶縁被覆１５で全周に亘って包囲した周知形態のものである。導体１４は、アルミニウム製又は銅製の複数本の素線（図示省略）を撚り合わせた周知形態の撚り線からなり、可撓性を有する。絶縁被覆１５は可撓性を有する合成樹脂材料からなる。したがって、被覆電線１３は、その長さ方向と交差する方向へ自在に曲げ変形させることができるものである。被覆電線１３の前端部においては、絶縁被覆１５が皮剥きされて導体１４が露出した状態となっている。
【００１４】
被覆電線１３の前端部は、圧着部１２において圧着されることにより、端子金具１１の後端部に導通可能に接続されている。被覆電線１３の前端部を端子金具１１の後端部の圧着部１２に圧着することにより、被覆電線１３と端子金具１１が接続されて導電路１０が構成されている。被覆電線１３と端子金具１１の圧着は、アプリケータ（自動機）を用いて行われる。
【００１５】
ワイヤーハーネスＷａの前端部には、コネクタハウジング１６が取り付けられている。コネクタハウジング１６内には、前後方向に貫通した形態の複数の端子収容室１７が形成されている。各端子収容室１７内には、コネクタハウジング１６の後方（背面側）から導電路１０の前端部（即ち、端子金具１１）が個別に挿入されている。
【００１６】
ワイヤーハーネスＷａのうちコネクタハウジング１６の背面から背面とほぼ直角に導出された領域は、コネクタハウジング１６の背面とほぼ平行な向きとなるように曲げ変形されている。この曲げ部分は、保持体１８によって曲げた状態に保持されている。保持体１８は、被覆電線１３と同心の円筒状をなし、被覆電線１３を全周に亘って包囲している。保持体１８は、絶縁被覆１５の外周に密着した状態で固着され、被覆電線１３に対して軸線方向への相対変位を規制されている。また、被覆電線１３の長さ方向（軸線方向）における保持体１８の形成領域は、コネクタハウジング１６の背面の近傍領域である。つまり、保持体１８は、圧着部１２には圧着されていない。また、保持体１８の剛性は、被覆電線１３を構成する絶縁被覆１５よりも高い。
【００１７】
保持体１８は、光硬化性樹脂からなる。光硬化性樹脂は、モノマーとオリゴマーと光重合開始剤（光開始剤）と各種添加剤から構成されている。光硬化性樹脂は、液体の状態で光が照射されると、光エネルギーにより硬化する。添加剤としては、硬化後に、被覆電線１３に要求される座屈強度に応じて所定の剛性が得られるような材料が選定されている。また、光硬化性樹脂としては、大きく分けて紫外線硬化性樹脂と可視光線硬化性樹脂があるが、本実施例１では保持体１８の材料として紫外線硬化性樹脂が用いられている。
【００１８】
保持体１８の材料として紫外線硬化性樹脂を用いる理由は、次の通りである。被覆電線１３と端子金具１１の圧着工程はアプリケータにより自動化されているが、このアプリケータに光硬化用の設備を付設した自動機（図示省略）を用いることにより、圧着工程と連続して保持体１８を形成するための光硬化工程の自動化を図ることが可能である。圧着工程は短時間で行われるため、両工程を連続的に自動処理するためには、光硬化工程に要する時間も短縮化することが望ましい。光硬化性樹脂の硬化時間は、受ける光エネルギーの密度が高いほど短い。そして、紫外線は、可視光線に比べて光エネルギーの密度が高い。したがって、可視光線硬化性樹脂よりも硬化時間の短い紫外線硬化性樹脂を用いた。
【００１９】
自動機（図示省略）による導電路１０の製造工程を説明する。製造は、皮剥き工程、光硬化工程、圧着工程を順に経て行われる。皮剥き工程では、被覆電線１３電線の前端部の絶縁被覆１５を除去して導体１４の前端部を露出させる。光硬化工程では、まず、被覆電線１３が、略Ｌ字形に屈曲したモールド型（図示省略）に供給されて、長さ方向に位置決めされた状態でセットされる。次いで、モールド型内に液体状の光硬化性樹脂（紫外線硬化性樹脂）が注入され、その後、モールド型内の液状光硬化性樹脂に紫外線が照射される。
【００２０】
紫外線の照射により光硬化性樹脂が硬化し、保持体１８が絶縁被覆１５の外周に固着した状態でモールド成形される。また、圧着工程では、端子金具１１が所定の圧着位置に供給されてアンビルに載置され、次いで、導体１４の前端部を露出させた被覆電線１３が、端子金具１１の圧着部１２にセットされ、その後、クリンパが下降することにより、圧着部１２が被覆電線１３を包囲するようにカシメ付けられ、被覆電線１３と端子金具１１が接続される。
【００２１】
本実施例１のワイヤーハーネスＷａは、金属製の導体１４を絶縁被覆１５で包囲した形態の複数本の被覆電線１３を束ねて構成され、被覆電線１３の外周には、被覆電線１３を所定の形状に保持する光硬化性樹脂の保持体１８が設けられている。この構成によれば、導電路１０は、被覆電線１３の外周に設けた光硬化性樹脂の保持体１８により所定の形状に保持されているので、作業者は、導体１４の剛性に抗して手作業でワイヤーハーネスＷａ（導電路１０）を曲げ変形させる作業を行わずに済む。そして、導電路１０は、保持体１８によって所定の向きに曲げた状態に保持されているので、電線カバーが不要となっている。
【００２２】
また、保持体１８は、被覆電線１３を全周に亘って包囲する形態であるから、導電路１０を曲げた状態に確実に保持することができる。また、保持体１８は、紫外線硬化性樹脂からなっているのであるが、可視光線に比べて光エネルギーの密度が高い紫外線により、光硬化性樹脂を短時間で効果的に硬化させることができる。
【００２３】
＜実施例２＞
以下、本発明を具体化した実施例２を図３〜図４を参照して説明する。上記実施例１のワイヤーハーネスＷａが、１本の導電路１０（被覆電線１３）に個別に保持体１８を設けたのに対し、本実施例２のワイヤーハーネスＷｂは、複数本の導電路１０（被覆電線１３）を、纏めて１つの保持体１９で包囲している。保持体１９の断面形状は略方形であり、保持体１９により、複数本（本実施例２では３本）の導電路１０（被覆電線１３）が並列して曲げられた状態に保持されている。上記以外の構成は、実施例１と同一であるから、詳しい説明は省略する。
【００２４】
＜実施例３＞
以下、本発明を具体化した実施例３を図５〜図７を参照して説明する。本実施例３のワイヤーハーネスＷｃは、実施例１，２と同様、複数本の導電路１０を束ねて構成されている。本実施例３の導電路１０は、実施例１及び実施例２の導電路１０と同じ構成である。ワイヤーハーネスＷｃの両端部には、夫々、複数のコネクタハウジング２０が取り付けられている。１つのコネクタハウジング２０には、複数本の導電路１０の端末部（端子金具）が挿入されている。
【００２５】
コネクタハウジング２０が取り付けられたワイヤーハーネスＷｃは、図板２１に載せられ、本線ハーネス２２と分岐線ハーネス２３とに振り分けられる。分岐線ハーネス２３からは、また別の分岐線ハーネス２３が分岐している。１本の本線ハーネス２２を構成する複数本の導電路１０の端末部は、１つのコネクタハウジング２０に集約して接続されている。また、各分岐路ハーネスを構成する複数本の導電路１０の端末部も、１つのコネクタハウジング２０に集約して接続されている。
【００２６】
図板２１上においては、本線ハーネス２２から分岐線ハーネス２３が分岐する位置、及び分岐線ハーネス２３から別の分岐線ハーネス２３が分岐する位置に、略Ｕ字形をなす治具２４が配置されている。これらの治具２４には、本線ハーネス２２又は分岐線ハーネス２３が引っ掛けられる。そして、本線ハーネス２２のうち治具２４に引っ掛けられる部分の近傍領域においては、本線ハーネス２２を構成する複数本の導電路１０が１つの保持体２５により一纏めに結束されている。また、分岐線ハーネス２３のうち治具２４に引っ掛けられる部分の近傍領域においても、分岐線ハーネス２３を構成する複数本の導電路１０が１つの保持体２５により一纏めに結束されている。保持体２５は、複数本の導電路１０を略Ｌ字形や略Ｖ字形等の屈曲した形状に保持している。また、保持体２５は、光硬化性樹脂（紫外線硬化性樹脂）からなる。
【００２７】
このように、ハーネス２２，２３は、保持体２５によって所定の向きに曲げられた状態になっているから、ハーネス２２，２３を治具２４に引っ掛ければ、ハーネス２２，２３間が自動的に分岐した状態となる。したがって、ハーネス２２，２３をジグに引っ掛けた後は、作業者が導体の剛性に抗してハーネス２２，２３（導電路１０）を曲げ変形させる、という作業を行わずに済む。これにより、作業者の作業負担が軽減されている。ハーネス２２，２３を治具２４に引っ掛けてハーネス２２，２３同士を分離させた後は、各ハーネス２２，２３を構成する複数本の導電路１０同士をテープ巻きにより結束する。
【００２８】
＜実施例４＞
以下、本発明を具体化した実施例４を図８〜図９を参照して説明する。上記実施例３のワイヤーハーネスＷｃでは、保持体２５が複数本の導電路１０を一纏めにして曲げ形状に保持していたのであるが、本実施例４のワイヤーハーネスＷｄは、１本の導電路１０に１つの保持体２６を設け、各導電路１０を個別に曲げ状態に保持している。本実施例４においても、ハーネス２２，２３を治具２４に引っ掛けた後で、導体１４の剛性に抗してハーネス２２，２３（導電路１０）を曲げる作業が不要なので、作業者の作業負担が軽減されている。上記以外の構成は、実施例３と同一であるから、詳しい説明は省略する。
【００２９】
＜他の実施例＞
本発明は上記記述及び図面によって説明した実施例に限定されるものではなく、例えば次のような実施例も本発明の技術的範囲に含まれる。
（１）上記実施例１，２では、被覆電線と端子金具を圧着する前に、被覆電線に光硬化樹脂による保持体を形成したが、電線と端子金具を圧着した後に、被覆電線に光硬化樹脂による保持体を形成してもよい。
（２）上記実施例１，２では、保持体の形成範囲を端子金具の後端よりも後方の領域としたが、保持体の形成範囲を端子金具の後端よりも前方とし、保持体の前端部を電線と一緒に端子金具に圧着してもよい。
（３）上記実施例１，２では、非防水タイプのコネクタに適用した例を説明したが、本発明は、個別ゴム栓や一括ゴム栓を用いた防水タイプのコネクタにも適用することができる。
（４）上記実施例１〜４では、保持体を絶縁被覆の外周に形成したが、保持体は、被覆電線のうち絶縁被覆を除去した導体の外周に形成してもよい。
（５）上記実施例１〜４では、保持体の剛性を絶縁被覆よりも高くしたが、保持体剛性は、絶縁被覆と同じか絶縁被覆より低くてもよい。
（６）上記実施例１〜４では、保持体の材料を紫外線硬化性樹脂としたが、保持体の材料は可視光硬化性樹脂であってもよい。
（７）上記実施例１，４では、保持体の外周形状（保持体を被覆電線の軸線と直角に切断したときの外周の断面形状）を、被覆電線の外周と同心の真円形としたが、保持体の外周形状は、非円形であってもよい。また、保持体の外周に、長さ方向に沿ったリブを突出形成することにより、被覆電線の形状保持をより確実に実現することができる。
【符号の説明】
【００３０】
Ｗａ…ワイヤーハーネス
１０…導電路
１３…被覆電線
１４…導体
１５…絶縁被覆
１８…保持体
Ｗｂ，Ｗｃ，Ｗｄ…ワイヤーハーネス
１９，２５，２６…保持体
【図１】
2015082865.tif 000003
【図２】
2015082865.tif 000004
【図３】
2015082865.tif 000005
【図４】
2015082865.tif 000006
【図５】
2015082865.tif 000007
【図６】
2015082865.tif 000008
【図７】
2015082865.tif 000009
【図８】
2015082865.tif 000010
【図９】
2015082865.tif 000011